(57)【要約】【課題】ゴルフクラブのスイングデータを検測できるゴルフクラブヘッドの提供【解決手段】重量体収容孔２１と重量体３とを有するゴルフクラブヘッドであって、重量体収容孔２１は、重量体３が螺挿できるメスネジ部が形成され、重量体３は、係合ユニット４と、検測ユニット５とを有しており、係合ユニット４は、前記メスネジ部と噛み合うことができるオスネジ部４３２が形成されていおり、検測ユニット５は、所定の収容空間を囲むように形成されると共に、係合ユニット４に収容されているハウジング５１と、ゴルフクラブのスイングデータを検測できるように構成されると共に、前記収容空間内に収容されている検測手段と、前記検測手段に電気的に接続し、前記スイングデータを無線送信できるように構成されると共に、前記収容空間内に収容されている無線送信手段と、を有していることを特徴とするゴルフクラブヘッド。【選択図】図２
2016123838.tif 000002
【特許請求の範囲】
【請求項１】
重量体収容孔が形成されて前記重量体収容孔内に重量体が収容されているゴルフクラブヘッドであって、
前記重量体収容孔は、所定方向に沿って前記ゴルフクラブヘッドの表面から凹陥するように延伸すると共に、前記重量体が螺挿できるメスネジ部が形成されており、
前記重量体は、係合ユニットと、前記係合ユニット内に設置されている検測ユニットとを有し、
前記係合ユニットは、前記検測ユニットを収容する設置空間を囲むように所定の軸線に沿って延伸し、前記重量体収容孔内に挿し込むことができる中空柱状に形成されて前記設置空間に面する内周面と前記内周面の反対側にある外周面とを有すると共に、前記所定の軸線が前記所定方向と略一致して前記重量体収容孔内に挿し込まれる時に前記メスネジ部と噛み合うことができるように前記外周面に形成されているオスネジ部を有する係合ユニット本体を有しており、
前記検測ユニットは、所定の収容空間を囲むように形成されると共に、前記係合ユニットにより囲まれる前記設置空間内に収容されているハウジングと、
ゴルフクラブのスイングデータを検測できるように構成されると共に、前記収容空間内に収容されている検測手段と、
前記検測手段に電気的に接続し、前記スイングデータを無線送信できるように構成されると共に、前記収容空間内に収容されている無線送信手段と、を有していることを特徴とするゴルフクラブヘッド。
【請求項２】
前記外周面の前記係合ユニット本体の延伸方向における一端部に対応する箇所は、角柱エリアとして非円形断面を有するように形成されており、
前記重量体は、前記係合ユニット本体の前記一端部を覆う頂壁部と、前記係合ユニットと共に前記所定の軸線を軸心として回転できるように前記角柱エリアが有する非円形断面に対応して嵌合できるように形成された周壁部とを有する蓋を更に有しており、
更に、前記蓋には、前記係合ユニット本体と共に回転駆動されることができる回転駆動手段が配置されていることを特徴とする請求項１に記載のゴルフクラブヘッド。
【請求項３】
前記係合ユニットは、前記一端部の周縁から前記所定の軸線と平行するように突起する第１の突起を有しており、
前記係合ユニットにより囲まれる前記設置空間内に収容されている前記ハウジングは、前記係合ユニット本体の前記一端部から露出する露出部を有し、前記露出部の周縁には、前記第１の突起に対応し、前記第１の突起が嵌入できる第１の凹部が形成されていることを特徴とする請求項２に記載のゴルフクラブヘッド。
【請求項４】
前記係合ユニット本体の前記内周面には、前記所定の軸線と平行に延伸する第２の突起が突起するように形成されており、
前記ハウジングには、前記第２の突起に対応し、前記第２の突起が嵌入できる第２の凹部が形成されていることを特徴とする請求項３に記載のゴルフクラブヘッド。
【請求項５】
前記係合ユニット本体の前記内周面は、前記係合ユニット本体の前記一端部の反対側にある他端部の近くに板状になるように突起する第３の突起が形成されており、
前記ハウジングは、前記第３の突起に対応し、前記第３の突起が嵌入できる第３の凹部が形成されていることを特徴とする請求項４に記載のゴルフクラブヘッド。
【請求項６】
前記係合ユニット本体の前記内周面には、嵌合孔が開けられており、
前記検測ユニットの前記ハウジングは、前記嵌合孔に対応して前記嵌合孔に嵌入できるように形成される嵌合突起を有していることを特徴とする請求項５に記載のゴルフクラブヘッド。
【請求項７】
前記係合ユニット本体は、前記オスネジ部の前記角柱エリアが形成されている一端の反対端から前記所定の軸線に沿って延伸する嵌合部を有しており、
前記嵌合孔は、前記嵌合部に形成されていることを特徴とする請求項６に記載のゴルフクラブヘッド。
【請求項８】
前記ハウジングは、
前記露出部と、
前記露出部から前記係合ユニットにより囲まれる前記設置空間に挿し込まれる大径部と、
前記大径部から更に延伸する斜面部と、
前記斜面部から更に延伸する小径部とを順番に有するように形成され、前記大径部の断面直径は前記小径部より大になっていると共に、前記斜面部は前記大径部と前記小径部を繋ぐように断面直径が漸減するように外周が斜面になっており、
また、前記検測手段は前記大径部に取り付けられており、
前記無線送信手段は前記小径部に取り付けられており、
前記第２の凹部は前記小径部の前記斜面部に臨む箇所に形成されており、
前記第３の凹部は前記小径部の前記斜面部から離れた箇所に形成されており、
前記嵌合突起は前記第２の凹部と前記第３の凹部との間に配置されていることを特徴とする請求項７に記載のゴルフクラブヘッド。
【発明の詳細な説明】
【技術分野】
【０００１】
本発明はゴルフクラブヘッドに関し、特にゴルフクラブのスイングデータを検測できるゴルフクラブヘッドに関する。
【背景技術】
【０００２】
ゴルフクラブのスイングは、ゴルフボールの飛距離、軌跡などに大きな影響を与えるので、スイングデータを検測して、その検測データに基づいてスイングの姿勢を修正することが重要視されている。ゴルフクラブのスイングデータを収集／取得するために、ヘッドにスイングデータを収集する検測装置が設置されたゴルフクラブが開発された。例えば図１に示される特許文献１には、検測装置（図示せず）が内蔵されている重量体１０１が、重量体１０１を収容できる重量体収容溝１０２に収容されるゴルフクラブヘッド１００が開示されている。該ゴルフクラブヘッド１００は、内部に検測装置が設置された重量体１０１が重量体収容孔１０２に設置されているので、ゴルフクラブヘッド１００の重心を調整できるだけでなく、スイングデータを検測することもできるという利点がある。
【０００３】
しかし、特許文献１のゴルフクラブヘッド１００は、重量体１０１を重量体収容孔１０２から取り外す際に、ばねを利用する解放機構を使用するので、ゴルフクラブヘッド１００に更に該解放機構を設置する加工が必要である。従って、ゴルフクラブヘッドの製造の工程及びコストが増えるという欠点がある。
【先行技術文献】
【特許文献】
【０００４】
【特許文献１】国際公開第２０１２／１４９３３８号
【発明の概要】
【発明が解決しようとする課題】
【０００５】
上記問題点に鑑みて、本発明は、追加の加工を経なくても、検測装置を有する重量体を重量体収容孔から取り外せるゴルフクラブヘッドの提供を目的とする。
【課題を解決するための手段】
【０００６】
上記目的を達成すべく、本発明は、重量体収容孔が形成されて前記重量体収容孔内に重量体が収容されているゴルフクラブヘッドであって、前記重量体収容孔は、所定方向に沿って前記ゴルフクラブヘッドの表面から凹陥するように延伸すると共に、前記重量体が螺挿できるメスネジ部が形成されており、前記重量体は、係合ユニットと、前記係合ユニット内に設置されている検測ユニットとを有し、前記係合ユニットは、前記検測ユニットを収容する設置空間を囲むように所定の軸線に沿って延伸し、前記重量体収容孔内に挿し込むことができる中空柱状に形成されて前記設置空間に面する内周面と前記内周面の反対側にある外周面とを有すると共に、前記所定の軸線が前記所定方向と略一致して前記重量体収容孔内に挿し込まれる時に前記メスネジ部と噛み合うことができるように前記外周面に形成されているオスネジ部を有する係合ユニット本体を有しており、前記検測ユニットは、所定の収容空間を囲むように形成されると共に、前記係合ユニットにより囲まれる前記設置空間内に収容されているハウジングと、ゴルフクラブのスイングデータを検測できるように構成されると共に、前記収容空間内に収容されている検測手段と、前記検測手段に電気的に接続し、前記スイングデータを無線送信できるように構成されると共に、前記収容空間内に収容されている無線送信手段と、を有していることを特徴とするゴルフクラブヘッドを提供する。
【発明の効果】
【０００７】
上記の構成によれば、本発明は、ゴルフクラブヘッドが元々備えているメスネジ部が形成されている重量体収容孔内に、該メスネジ部と噛み合うオスネジ部が形成された重量体内に検測ユニットを設置するので、該ゴルフクラブヘッドに対して余分の解放機構を設置するための加工が要らず、更に、該重量体を回転することにより、該重量体を該重量体収容孔に簡単に出し入れすることができるので、従来より便利な検測機能付きゴルフクラブヘッドを提供することができる。
【図面の簡単な説明】
【０００８】
【図１】従来のゴルフクラブヘッドを示す斜視図である。
【図２】本発明のゴルフクラブヘッドの一実施形態を示す分解斜視図である。
【図３】上記実施形態における重量体を示す分解斜視図である。
【図４】上記実施形態における重量体を示す断面図である。
【発明を実施するための形態】
【０００９】
以下、添付の図面を参照しながら、本発明の一実施形態について説明する。
【００１０】
図２は本発明のゴルフクラブヘッドの実施形態を示す分解斜視図である。
【００１１】
本発明のゴルフクラブヘッド２は、図２に示されるように、重量体収容孔２１が形成されて重量体収容孔２１内に重量体３が収容されるように構成されている。
【００１２】
重量体収容孔２１は、所定方向に沿ってゴルフクラブヘッド２の表面から凹陥するように延伸すると共に、重量体３が螺挿できるメスネジ部（図示せず）が形成されている。
【００１３】
重量体３は、係合ユニット４と、係合ユニット４内に設置されている検測ユニット５と、蓋６と、を備えている。
【００１４】
図３はこの実施形態における重量体を示す分解斜視図である。
【００１５】
図３に示されるように、係合ユニット４は、検測ユニット５を収容する設置空間４０を囲むように所定の軸線Ｌに沿って延伸し、重量体収容孔２１内に挿し込むことができ、その延伸方向における一端部である第１の端部４１と第１の端部４１の反対側にある他端部である第２の端部４２とを有する中空柱状に形成されていると共に、設置空間４０に面する内周面４４と内周面４４の反対側にある外周面４３とを有する係合ユニット本体４５を有している。係合ユニット本体４５は、外周面４３の第１の端部４１に対応する箇所が、角柱エリア４３１として非円形断面を有するように形成されており、且つ所定の軸線Ｌが前記所定方向と略一致するように重量体収容孔２１内に挿し込まれた際に前記メスネジ部と噛み合って係合することができるように外周面４３にオスネジ部４３２と、オスネジ部４３２の角柱エリア４３１が形成されている一端の反対端から所定の軸線Ｌに沿って延伸する嵌合部４３３と、が形成されている。
【００１６】
また、係合ユニット４は、銅、アルミニウム、ニッケルまたはアルミニウム−マグネシウム合金などの電磁シールド効果が８０ｄＢ以下の金属材料により作成される。この実施形態において、係合ユニット４はアルミニウム−マグネシウム合金により作成された。
【００１７】
検測ユニット５は、係合ユニット４により囲まれる設置空間４０内に係合ユニット４と密接するように収容されている。
【００１８】
また、検測ユニット５は、所定の収容空間５０を囲むように形成されると共に、係合ユニット４により囲まれる設置空間４０内に収容されているハウジング５１と、ゴルフクラブのスイングデータを検測できるように構成されると共に、収容空間５０内に収容されている検測手段５２と、検測手段５２に電気的に接続し、前記スイングデータを無線送信できるように構成されると共に、収容空間５０内に収容されている無線送信手段５３と、を有している。
【００１９】
ハウジング５１は、無線送信手段５３が発信する無線信号が通過できる材料、例えば、ポリウレタン、シリコーン樹脂、ゴム、エポキシ樹脂、アクリル樹脂、熱溶融性接着剤などの材料を用いて作成された。
【００２０】
この実施形態において、検測手段５２が検測且つ統計できる前記スイングデータは、スイング速度、スイング軌道、ゴルフボールの打ち出し角度、アップスイング頻度、ダウンスイング頻度、テークバック角度、フェース面におけるインパクト角度、スイングＧ値、スイング面、フェース面におけるインパクト位置、ゴルフボールの飛距離、ゴルフボールの回転数、ゴルフボールの飛び軌跡などである。無線送信手段５３は、検測手段５２が検測または統計したデータをブルートゥース（Ｂｌｕｅｔｏｏｔｈ(登録商標）)で外部の受信装置に送信する。ちなみに、ゴルフボールの飛距離、ゴルフボールの回転数及びゴルフボールの飛び軌跡のデータは、スイング速度、スイング軌道、ゴルフボールの打ち出し角度、アップスイング頻度、ダウンスイング頻度、テークバック角度、フェース面におけるインパクト角度、スイングＧ値、スイング面、フェース面におけるインパクト位置などのデータにより算出される。
【００２１】
蓋６は、検測ユニット５が外部の物に直接に当たらないように、係合ユニット本体４５の第１の端部４１を覆う頂壁部６２と、係合ユニット４と共に所定の軸線Ｌを軸心として回転できるように角柱エリア４３１が有する非円形断面に対応して嵌合するように形成された周壁部６１と、係合ユニット本体４５と共に回転駆動されることができるように配置されている回転駆動手段６２１と、により構成されている。
【００２２】
また、蓋６は、一般の無線通信製品のハウジングを作成する材料、例えば、ケブラー繊維またはガラス繊維により作成される。この実施形態において、蓋６は、ガラス繊維により作成された。回転駆動手段６２１は、所定の形の窪みであって、該所定の形に対応し、互いに嵌合して共に回転できる先端の形を有する工具（例えばドライバー）により回転駆動されることができるように形成されている。
【００２３】
図４はこの実施形態における重量体を示す断面図である。
【００２４】
図４に示されるように、ハウジング５１は、係合ユニット４の第１の端部４１から露出する露出部５１１と、露出部５１１から係合ユニット４により囲まれる設置空間４０に挿し込まれる大径部５１３と、大径部５１３から更に延伸する斜面部５１４と、斜面部５１４から更に延伸する小径部５１５とを順番に有するように形成されている。大径部５１３の断面直径は小径部５１５より大になっていると共に、斜面部５１４は大径部５１３と小径部５１５を繋ぐように断面直径が漸減するように外周が斜面になっている。露出部５１１は、無線送信手段５３から送信される信号が係合ユニット４に遮断されないために、係合ユニット４の第１の端部４１から露出するように形成される。
【００２５】
係合ユニット４の内周面４４は、第１の端部４１から第２の端部４２へ延伸し、大径部５１３と密接して大径部５１３を囲むように形成される第１の延伸エリア４４１と、第１の延伸エリア４４１から更に延伸し、斜面部５１４と密接して斜面部５１４を囲むように形成される斜面エリア４４２と、斜面エリア４４２から更に延伸し、小径部５１５と密接して小径部５１５を囲むように形成される第２の延伸エリア４４３と、を有している。
【００２６】
係合ユニット４は、第１の端部４１の周縁から所定の軸線Ｌと平行するように突起する第１の突起４４４と、第２の延伸エリア４４３の斜面エリア４４２に臨む箇所に、所定の軸線Ｌと平行に延伸するように突起する第２の突起４４５と、第２の延伸エリア４４３における第２の端部４２の近くに、板状になるように突起する第３の突起４４６と、嵌合部４３３において内周面４４に開けられている複数の嵌合孔４４７と、が形成されている。この実施形態においては、４つの第１の突起４４４が互いに同じ距離を空けて形成されている。第３の突起４４６は３つ形成されている。
【００２７】
ハウジング５１は、露出部５１１の周縁に、第１の突起４４４に対応し、第１の突起４４４が嵌入できる第１の凹部５１２と、小径部５１５の斜面部５１４に臨む箇所に、第２の突起４４５に対応し、第２の突起４４５が嵌入できる第２の凹部５１６と、小径部５１５の斜面部５１４から離れた箇所に、第３の突起４４６に対応し、第３の突起４４６が嵌入できる第３の凹部５１７と、嵌合孔４４７に対応して、それぞれが嵌合孔４４７に嵌入できるように形成される複数の嵌合突起５１８と、が形成されている。この実施形態において、第１の凹部５１２は４つ形成され、第３の凹部５１７は３つ形成されている。
【００２８】
また、検測手段５２は大径部５１３に取り付けられており、無線送信手段５３は小径部５１５に取り付けられており、嵌合突起５１８は第２の凹部５１６と第３の凹部５１７との間に配置されている。
【００２９】
第１の突起４４４が第１の凹部５１２に嵌入し、第２の突起４４５が第２の凹部５１６に嵌入し、第３の突起４４６が第３の凹部５１７に嵌入し、更に、嵌合突起５１８が嵌合孔４４７に嵌入することにより、検測ユニット５は、係合ユニット４に対して回転せず、係合ユニット４の設置空間４０に安定に設置することができる。
【００３０】
また、蓋６の回転駆動手段６２１により、回転駆動手段６２１の形に対応する先端形状を有する工具を用いて回転駆動手段６２１を回転すると、蓋６が係合ユニット４と検測ユニット５と共に回転駆動されるので、重量体３を重量体収容孔２１に螺挿するまたは取り外すことができる。
【００３１】
上記の構成によれば、本発明のゴルフクラブヘッドは、検測ユニットを元々備え且つオスネジ部を有する重量体を、メスネジ部を有する重量体収容孔に螺挿することにより設置するので、ゴルフクラブヘッドに対して重量体とは別に検測ユニットを設置する手間が要らず、更に、重量体を回転することにより、重量体を重量体収容孔から取り外すことができるので、ゴルフクラブヘッドに対して重量体を取り外すための解放機構を設置する加工も要らなくなる。従って、従来のゴルフクラブヘッドが有する製造の工程及びコストが増えるという欠点を解消できる。
【産業上の利用可能性】
【００３２】
本発明のゴルフクラブヘッドは、一般のゴルフ競技または練習に適用でき、中でも、スイングデータを検測するための練習には好適である。
【符号の説明】
【００３３】
２  ゴルフクラブヘッド
２１  重量体収容孔
３  重量体
Ｌ  所定の軸線
４  係合ユニット
５  検測ユニット
６  蓋
４０  設置空間
４１  第１の端部
４２  第２の端部
４３  外周面
４３１  角柱エリア
４３２  オスネジ部
４３３  嵌合部
４４  内周面
４５  係合ユニット本体
４４１  第１の延伸エリア
４４２  斜面エリア
４４３  第２の延伸エリア
４４４  第１の突起
４４５  第２の突起
４４６  第３の突起
４４７  嵌合孔
５０  収容空間
５１  ハウジング
５１１  露出部
５１２  第１の凹部
５１３  大径部
５１４  斜面部
５１５  小径部
５１６  第２の凹部
５１７  第３の凹部
５１８  嵌合突起
５２  検測手段
５３  無線送信手段
６１  周壁部
６２  頂壁部
６２１  回転駆動手段
【図１】
2016123838.tif 000003
【図２】
2016123838.tif 000004
【図３】
2016123838.tif 000005
【図４】
2016123838.tif 000006